(57)【要約】      （修正有）【課題】ハンガーボード等の掛棒の水平位置を変更可能な掛棒支持装置及び商品陳列装置を提供する。【解決手段】支柱２，３間あるいはボード間に横架される掛棒７を水平支持する掛棒支持装置であって、支柱２，３あるいはボードに着脱可能に支持される支持具４，５と、支持具４，５に取り付けられ掛棒７の一端を着脱可能に支持する接続具６とを備えるとともに、支持具４，５には、接続具６の接続位置を変更可能な位置決め手段を有する。【選択図】図１
0003204845.tif 000002
【実用新案登録請求の範囲】
【請求項１】
支柱間あるいはボード間に横架される掛棒を水平支持する掛棒支持装置であって、前記支柱あるいは前記ボードに着脱可能に支持される支持具と、前記支持具に取り付けられ前記掛棒の一端を着脱可能に支持する接続具とを備えるとともに、前記支持具には、前記接続具の接続位置を変更可能な位置決め手段を有することを特徴とする掛棒支持装置。
【請求項２】
前記接続具は、第１のプレートと前記第１のプレートと直交して固着された第２のプレートとからなり、前記第２のプレートの上部側には凸部を設け、第１のプレートと第２のプレートとの間の下部側には溝部を形成してなり、前記支持具に対し着脱自在に接続されることを特徴とする請求項１記載の掛棒支持装置。
【請求項３】
請求項１又は２に記載の掛棒支持装置を備えることを特徴とする商品陳列装置。
【考案の詳細な説明】
【技術分野】
【０００１】
本考案は、デパートや商店等でハンガーに吊るされた衣服等の商品を陳列するのに用いられる掛棒支持装置及び商品陳列装置に関する。
【背景技術】
【０００２】
従来、デパートや商店等で衣類等を陳列、販売するのに、各種の商品陳列装置が、例えば顧客が歩く通路に沿って配置される。この商品陳列装置は、例えば基台上に２本の支柱を設立し、この２本の支柱間にブラケットを介してハンガーパイプを架設したものからなる。
【０００３】
このような商品陳列装置に利用するブラケットとして、例えば、出願人が以前考案した特許文献１に記載のハンガーパイプ受け用ブラケットがある。このハンガーパイプ受け用ブラケット（３）は、支柱（１）、（２）に対し着脱可能で、かつ片持ち支持されるアーム板（３ａ）、（４ａ）を設け、このアーム板（３ａ）、（４ａ）の側面にパイプ支持板（３ｂ）、（４ｂ）を突設することにより、ハンガーパイプ（５）端を着脱可能に支持するよう構成されている。なお、カッコ内の符号は特許文献１において使用されているものである。
【０００４】
このハンガーパイプ受け用ブラケットを使用すれば、支柱に対しハンガーパイプを分解可能に組み付けることができ、出荷、運搬及び収納を容易化できる。
【先行技術文献】
【特許文献】
【０００５】
【特許文献１】実用新案登録第３１０９１０３号公報
【考案の概要】
【考案が解決しようとする課題】
【０００６】
しかしながら、特許文献１に記載のハンガーパイプ受け用ブラケットは、上下方向にハンガーパイプの位置を変更することができるものの、水平方向にはハンガーパイプの位置を変更することはできない。また、ハンガーパイプは２つのハンガーパイプ受け用ブラケット間に１つしか取り付けることができない。
【０００７】
そこで、本考案は、このような問題を解決するためになされたものであり、その目的とするところは、ハンガーパイプ等の掛棒の位置を水平方向に変更可能であるとともに、複数のハンガーパイプを取り付けることができる掛棒支持具装置及び商品陳列装置を提供することにある。
【課題を解決するための手段】
【０００８】
前記の目的を達成するため、本考案に係る掛棒支持装置は、支柱間あるいはボード間に横架される掛棒を水平支持する掛棒支持装置であって、前記支柱あるいは前記ボードに着脱可能に支持される支持具と、前記支持具に取り付けられ前記掛棒の一端を着脱可能に支持する接続具と、を備えるとともに、前記支持具には、前記接続具の接続位置を変更可能な位置決め手段を有することを特徴とする。
【０００９】
また、前記接続具は、第１のプレートと前記第１のプレートと直交して固着された第２のプレートとからなり、前記第２のプレートの上部側には凸部を設け、第１のプレートと第２のプレートとの間の下部側には溝部を形成してなり、前記支持具に対し着脱自在に接続されることを特徴とする。
【００１０】
また、本考案に係る商品陳列装置は、上記掛棒支持装置を備えることを特徴とする。
【考案の効果】
【００１１】
本考案に係る掛棒支持装置は、支柱間あるいはボード間に横架される掛棒を水平支持する掛棒支持装置であって、前記支柱あるいは前記ボードに着脱可能に支持される支持具と、前記支持具に取り付けられ前記掛棒の一端を着脱可能に支持する接続具と、を備えるとともに、前記支持具には、前記接続具の接続位置を変更可能な位置決め手段を有するように構成した。これにより、ハンガーパイプ等の掛棒の位置を水平方向に変更可能であるとともに、複数の掛棒を取り付けることができるといった効果を奏する。
【００１２】
また、本考案に係る掛棒支持装置は、前記接続具を第１のプレートと前記第１のプレートと直交して固着した上部側に凸部を設けた第２のプレートとから構成し、第１のプレートと第２のプレートとの間の下部側に溝部を形成し、前記支持具に対し着脱自在としたから、前記支持具に接続具を簡単に確実に取り付けることができ、さらに四角形あるいは円柱形の掛棒をスムーズにかつ安定して取り付けることができる。
【００１３】
また、本考案に係る商品陳列装置は、上記掛棒支持装置を備えるように構成したことから、上記掛棒支持装置が奏する効果と同様の効果を奏する。
【図面の簡単な説明】
【００１４】
【図１】本考案の第１実施形態による商品陳列装置の要部を示す斜視図である。
【図２】図１に示す商品陳列装置に使用されるブラケットを示す図であり、（ａ）は    斜視図、（ｂ）は正面図、（ｃ）は背面図である。
【図３】図１に示す商品陳列装置に使用される接続具を示す図であり、（ａ）及び（ｂ）は斜視図、（ｃ）は正面図である。
【図４】図１に示す商品陳列装置に使用されるハンガーパイプを示す図であり、（ａ）及び（ｂ）は斜視図、（ｃ）は（ａ）の部分拡大図である。
【図５】図１に示す商品陳列装置の組み立て方法を説明するための図である。
【図６】図１に示す商品陳列装置の組み立て方法を説明するための図である。
【図７】本考案の第２実施形態による商品陳列装置の要部を示す斜視図である。
【図８】図７に示す商品陳列装置の組み立て方法を説明するための図である。
【図９】図７に示す商品陳列装置に使用するフックの斜視図である。
【図１０】本考案の第３実施形態による商品陳列装置の要部を示す斜視図である。
【図１１】図１０に示す商品陳列装置の組み立て方法を説明するための図である。
【図１２】本考案の第４実施形態による商品陳列装置の要部を示す斜視図である。
【図１３】図１２に示す商品陳列装置に使用される支持具を示す図であり、（ａ）は正面図、（ｂ）は斜視図である。
【図１４】図１２に示す商品陳列装置に使用されるビスを示す斜視図である。
【図１５】図１２に示す商品陳列装置の組み立て方法を説明するための図である。
【考案を実施するための形態】
【００１５】
以下、本考案を実施するための形態について、図面を参照しながら説明する。
【００１６】
図１には本考案の第１実施形態による商品陳列装置１の要部を示す斜視図が図示されており、商品陳列装置１は、２本の支柱２，３と、それぞれの支柱２，３に着脱自在に取り付けられるブラケット４，５と、それぞれのブラケット４，５に着脱自在に取り付けられる接続具６，６と、支柱２，３間にブラケット４，５を介して横架される掛棒であるハンガーパイプ７，７を備える。
【００１７】
支柱２，３は角形の金属パイプまたはコの字形の金属枠などからなり、これらの前部には、互いに対応する高さ位置に複数の係止孔２ａ、３ａが穿設されている。この金属パイプや金属枠は、陳列商品の荷重を受けても、容易に撓んだり変形したりしない肉厚を持つ。なお、これらの支柱２，３は、例えば床上を移動する基台（図示しない）上に垂直に設立され、あるいは店舗などの室内壁面に沿って垂直に固定される。
【００１８】
ブラケット４，５は、互いに対称の形状をなすことから、図２においてはブラケット５の構成について説明する。ブラケット５は、金属製の板状部材であり、支柱３に対して着脱自在で、かつ片持ち支持されるアーム板５１と、アーム板５１の一端側の側面に立設され、ハンガーパイプ７の一端を着脱自在に接続する金属製の接続具９とからなる。
【００１９】
接続具９の上部側には凸部９１が設けられており、アーム板５１にはかしめ加工により固着されている。アーム板５１の他端側には支柱３に穿設された複数の係止孔３ａから３つ選んで挿入する係止爪５４ａ，５４ｂ，５４ｃが縦列して配設されている。
【００２０】
アーム板５１の上部側には溝部５２，５３が設けられており、この溝部５２，５３は、後述する接続具６との接続箇所であり、位置決め手段となる。なお、ブラケット４とブラケット５との構成上の相違点は、アーム板４１あるいは５１の側面に立設される接続具９の方向が互いに逆向きになるだけで、その他構成上の相違はないので、ブラケット４の構成に関する説明は省略する。
【００２１】
接続具６は、図３に示すように、金属製の第１のプレート６１と、これと直交して固着された金属製の第２のプレート６２とからなる。第２のプレート６２の上部側には凸部６３が設けられている。図３（ａ）及び（ｂ）は同一の接続具６の異なる方向からの斜視図であり、図５、図６に示すようにブラケット４、５に取り付ける際には左右対称になるように取り付けられる。また、図３（ｃ）の正面図に示すように、第１のプレート６１と第２のプレート６２との間の下部側には、溝部６４が形成されている。なお、接続具６は、ブラケット４，５に対し着脱自在に接続される。
【００２２】
ハンガーパイプ７は、図４に示すように、四角柱状の金属製の中空状のパイプであり、その両端には、接続孔７１と接続スリット７２が設けられている。これら構成を明確にするべく、図４（ａ）には上面側から見た斜視図、同図（ｂ）には下面側から見た斜視図、同図（ｃ）には同図（ａ）の円で囲った部分の部分拡大図を図示している。後述するように、接続孔７１及び接続スリット７２によって、ハンガーパイプ７は接続具６と接続される。なお、図１に示すハンガーパイプ７もハンガーパイプ７と同一の構成であることから説明は省略する。
【００２３】
続いて、上記のように構成されたブラケット４，５、接続具６及びハンガーパイプ７の組立て構造について図５及び図６を参照して説明する。図５にはブラケット４における組立て構造が、図６にはブラケット５における組立て構造が一部を省略した斜視図によってそれぞれ図示されている。
【００２４】
図５に示すように、ブラケット４の溝部４２と接続具６の溝部６４が嵌合するようにブラケット４の溝部４２に接続具６を取り付ける。次に、接続スリット７２に第２のプレート６２が挿入されるように上方からハンガーパイプ７を移動させる。この際、凸部６３が接続孔７１に挿入されるように移動させる。この挿入作業が完了した状態が、溝部４３における接続具６及びハンガーパイプ７の状態であり、接続孔７１から凸部６３の頂部が露出した状態となっている。このように接続されることにより、ハンガーパイプ７は接続具６を介してブラケット４に抜け止め支持される。そのためブラケット４は回転が防止されるのである。
また、前記支柱２，３に穿設された係止孔２ａ、３ａはブラケット４の厚さより大きいため、ブラケット４，５が左右に動き外側に広がってハンガーパイプ７が落下することもあった。本実施形態のブラケット４は、接続具６の溝部６４がブラケット４の溝部４２に嵌合して取り付けられている上に、接続具６の凸部６３がハンガーパイプ７の接続孔７１と嵌合しているためブラケット４，５の左右動が規制され、ハンガーパイプ７が落下するおそれはなくなった。
【００２５】
図６にはブラケット５における取り付け構造が図示されているが、ブラケット４と向きが異なるだけで、接続の仕方として同様であるので、図示するだけで詳細な説明は省略する。なお、接続具９に対するハンガーパイプ７の接続構造は、接続具９がブラケット４，５に対し固着されている点が相違するだけで、その他は上記接続構造と同様であるので図示及び詳細な説明は省略する。
【００２６】
上述したとおり、接続具６は、溝部４２にも溝部４３にも着脱自在に取り付け可能であることから、ハンガーパイプ７の水平方向の位置を自在に変更できる。また、ハンガーパイプ７の位置決め手段となる溝部４２，４３が形成されていることから、支柱２，３間にハンガーパイプ７を複数横架させることができる。
【００２７】
上記実施形態においては、ブラケット４，５は、固着された接続具９を有する構成としたがこれに限定されない。
【００２８】
本考案の第２実施形態による商品陳列装置について、図７乃至図９を参照して説明する。
本実施形態の商品陳列装置１ａは前記第１実施形態による商品陳列装置の支柱２，３にこれら支柱２，３と同形状の支柱２９を加えたものである。前記支柱２９には着脱自在に取り付けられるブラケット４９と、このブラケット４９に着脱自在に取り付けられる接続具６とを備え、支柱３，２９間にブラケット５，４９を介して横架されるハンガーパイプ７を備える。本実施形態では、ハンガーパイプ７の数が増加するため、一度に多くの商品等を展示できる効果がある。
【００２９】
図８にはブラケット５における組立て構造が一部を省略した斜視図によって図示されているが、ハンガーパイプ７の組立て構造については、前記実施形態１の組立構造と同様であるため説明を省略する。
本実施形態においては、ブラケット５の両側に接続具６，６を取り付けることができ、ブラケット５とブラケット４の間、及びブラケット５とブラケット４９の間にハンガーパイプ７を横架することができるのである。
【００３０】
前記ハンガーパイプ７には、図９に示すフック２００によって商品３００を吊るして展示することができる。このフック２００は、コ字状の固定部２０１とこの固定部から水平に固定された支持棒２０２からなり、この支持棒２０２に靴下などの商品３００を吊して展示することができる。
このフック２００によれば、固定部２０１がハンガーパイプ７に密着してかつスライド自在に取り付けられるため商品３００が安定して保持される。またフック２００の取り付け、取り外しも容易である等のメリットがある。
【００３１】
本考案の第３実施形態の商品陳列装置について、図１０，図１１を参照して説明する。
本実施形態の商品陳列装置１ｂは、図１０に示すように、前記第２実施形態の四角柱状のハンガーパイプ７を円柱状のハンガーパイプ８としたものであり、シャツなどをハンガ（図示せず）で吊るして展示するものである。
このハンガーパイプ８の両端には、接続具６と接続する接続孔８１と接続スリット８２が設けられているが、これらの構成は前記ハンガーパイプ７と同様であるので説明を省略する。
【００３２】
図１１には本実施形態のブラケット５おける組立て構造が一部を省略した斜視図によって図示されているが、ハンガーパイプ８の組立て構造については、前記実施形態１あるいは２のハンガーパイプ７の組立構造と同様であるため説明を省略する。
また作用、効果も第２実施形態と同様であるが、本実施形態では、ハンガーパイプ８が円柱形であるから、接続具６を介してブラケット５に抜け止め支持されるため回転が防止されるという効果を奏する。
【００３３】
次に、本考案の第４実施形態による商品陳列装置について、図１２乃至１５を参照して説明する。
【００３４】
図１２には、本考案の第４実施形態による商品陳列装置１００の要部を示す斜視図が図示されており、商品陳列装置１００は、２枚のボード２０，３０と、それぞれのボード２０，３０にビス１０，１０を介して着脱自在に取り付けられる支持具５０，５０と、それぞれの支持具５０，５０に着脱自在に取り付けられる接続具６と、ボード２０，３０間に支持具５０，５０を介して横架されるハンガーパイプ７を備える。
【００３５】
ボード２０，３０は木製の板状体からなり、これらの表面には、互いに対応する高さ位置に複数の係止孔２１ａ，２２ａ，３１ａ，３２ａが穿設されている。これら係止孔はそれぞれのボード２０，３０の両面に設けられている。ボード２０，３０の材質は、木製に限定されず、例えばアクリル等の合成樹脂、あるいはガラス等を選択できる。
【００３６】
図１３に示すとおり支持具５０は、金属製の細長状の板状部材であり、その上部側には接続具６を取り付けるための溝部５２０，５３０，５４０が間隔を介して設けられている。また、支持具５０の両端には、ビス１０，１０間に横架支持させるための凹部５５０，５６０が設けられている。
【００３７】
図１４に示すとおりビス１０は金属製の部材であり、支持具５０を支持する支持部１１と、係止孔２１ａ，２２ａ，３１ａ，３２ａに挿入する挿入部１２からなる。
【００３８】
続いて、上記のように構成されたボード３０、支持具５０、接続具６及びビス１０，１０の組立て構造について図１５を参照して説明する。なお、ボード２０における組立て構造については同様であるので図示及び説明は省略する。
【００３９】
まず、図１５（ａ）に示すように、ボード３０の係止孔３１ａ，３２ａにビス１０，１０をそれぞれ挿入する。この際、ビス１０，１０を挿入する係止孔３１ａ，３２ａはユーザにおいて自由に選んでよいが、係止孔３１ａ，３２ａの高さは同じ高さである必要がある。
【００４０】
次に、このボード３０に取り付けられたビス１０，１０間に支持具５０を図１５（ｂ）に示すように横架支持させる。この横架支持させる前には、同図に示すように支持具５０には接続具６を取り付けておく。同図においては、溝部５２０，５３０に接続具６，６が取付られているが、この取付位置及び個数はユーザにおいて任意に決めることができる。
なお、支持具５０に対する接続具６の取り付け方は上記第1実施形態における取り付け方と同様であるので、図示及び説明は省略する。
【００４１】
同図（ｂ）に示す方向に支持具５０を移動させると、図１２に示すように、支持具５０はボード３０にビス１０，１０を介して支持される。なお、ハンガーパイプ７と接続具６との接続方法に関しては、上記第１実施形態における取り付け方と同様であるので、図示及び説明は省略する。
【００４２】
本実施形態においても、上記第１実施形態と同様に、ハンガーパイプ７の水平方向の位置を自在に変更できる。また、ハンガーパイプ７の位置決め手段となる溝部５２０，５３０，５４０が形成されていることから、ボード２０，３０間にハンガーパイプ７を複数横架させることができる。また、本実施形態におけるハンガーパイプ７を前記の円柱形のハンガーパイプ８に変えて使用することもできる。
【符号の説明】
【００４３】
１，１ａ，１ｂ，１００  商品陳列装置
２，３，２９  支柱
２０，３０  ボード
２１ａ，２２ａ，３１ａ，３２ａ  係止孔
２ａ，３ａ  係止孔
４，５，４９  ブラケット（支持具）
５０    支持具
４１，５１  アーム板
４２，４３，５２，５３  溝部
４４ａ，４４ｂ，４４ｃ，５４ａ，５４ｂ，５４ｃ  係止爪
５２０，５３０，５４０  溝部
５５０，５６０  凹部
６    接続具
６１  第１のプレート
６２  第２のプレート
６３  凸部
６４  溝部
７，８  ハンガーパイプ（掛棒）
７１，８１  接続孔
７２，８２  接続スリット
９    接続具
１０  ビス
１１  支持部
１２  挿入部
【図１】
0003204845.tif 000003
【図２】
0003204845.tif 000004
【図３】
0003204845.tif 000005
【図４】
0003204845.tif 000006
【図５】
0003204845.tif 000007
【図６】
0003204845.tif 000008
【図７】
0003204845.tif 000009
【図８】
0003204845.tif 000010
【図９】
0003204845.tif 000011
【図１０】
0003204845.tif 000012
【図１１】
0003204845.tif 000013
【図１２】
0003204845.tif 000014
【図１３】
0003204845.tif 000015
【図１４】
0003204845.tif 000016
【図１５】
0003204845.tif 000017